(57)【要約】【課題】複数の注湯後の上・下鋳枠付き鋳型から形状の異なる各種の鋳物素材をそれぞれ取り出すに当り、鋳型内臓の前記上鋳枠を上昇させて鋳型および鋳物素材内臓の下鋳枠から分離した後にこの下鋳枠から単一の装置によって各種の前記鋳物素材をそれぞれ取り出すことが可能な方法を提供する。【解決手段】鋳物素材４が一般的なものの場合には鋳型１および鋳物素材内臓の下鋳枠２を垂直面内で旋回させるようにして約１８０度反転させて下鋳枠２内から鋳物素材４を落下分離させ、また鋳物素材４が特殊なものの場合には専用の鋳物素材吊上げ手段５により下鋳枠２内から鋳物素材４を吊り上げて分離する。【選択図】　　図１
2004141954.tif 000002
【特許請求の範囲】
【請求項１】
複数の注湯後の上・下鋳枠付き鋳型から形状の異なる各種の鋳物素材をそれぞれ取り出すに当り、鋳型内臓の前記上鋳枠を上昇させて鋳型および鋳物素材内臓の前記下鋳枠から分離した後にこの下鋳枠から単一の装置によって各種の前記鋳物素材をそれぞれ取り出すことを可能にした方法であって、
前記鋳物素材が一般的なものの場合には鋳型および鋳物素材内臓の前記下鋳枠を垂直面内で旋回させるようにして約１８０度反転させて下鋳枠内から前記鋳物素材を落下分離させた後鋳型内臓の前記下鋳枠を元の位置に戻し、また前記鋳物素材が特殊なものの場合には専用の鋳物素材吊上げ手段により前記下鋳枠内から前記鋳物素材を吊り上げて分離するようにしたことを特徴とする鋳枠付き鋳型からの鋳物素材取出し方法。
【請求項２】
複数の注湯後の上・下鋳枠付き鋳型から形状の異なる各種の鋳物素材をそれぞれ取り出すに当り、鋳型内臓の前記上鋳枠を上昇させて鋳型および鋳物素材内臓の前記下鋳枠から分離した後にこの下鋳枠から単一の装置によって各種の前記鋳物素材をそれぞれ取り出すことを可能にした装置であって、
鋳型内臓の前記下鋳枠を垂直面内で旋回させるようにして約１８０度反転させる反転手段と、
この反転手段の真上位置に入出可能に配設されて前記下鋳枠内から前記鋳物素材を吊り上げる鋳物素材吊上げ手段と、
前記反転手段に隣接して配設されて前記下鋳枠内の前記鋳物素材を前記下鋳枠内の鋳型とで挟持するとともに前記反転手段と一緒に反転させる鋳物素材挟持手段と、
を備え、
これにより、前記鋳物素材が一般的なものの場合には前記反転手段と前記鋳物素材挟持手段とによって前記鋳物素材を前記下鋳枠内の鋳型とで挟持するとともに前記下鋳枠と一緒に反転させて下鋳枠内から前記鋳物素材を落下分離した後鋳型内臓の前記下鋳枠を元の位置に戻し、また前記鋳物素材が特殊なものの場合には鋳物素材吊上げ手段により前記下鋳枠内から前記鋳物素材を吊り上げるようにしたことを特徴とする鋳枠付き鋳型からの鋳物素材取出し装置。
【発明の詳細な説明】
【０００１】
【発明の属する技術分野】
本発明は、鋳枠付き鋳型からの鋳物素材取出し方法およびその装置に係り、より詳しくは複数の注湯後の上・下鋳枠付き鋳型から形状の異なる各種の鋳物素材をそれぞれ取り出すに当り、鋳型内臓の前記上鋳枠を上昇させて鋳型および鋳物素材内臓の前記下鋳枠から分離した後にこの下鋳枠から単一の装置によって各種の前記鋳物素材をそれぞれ取り出すことを可能にした方法およびその装置に関する。
【０００２】
【従来の技術】
従来、注湯後の上・下鋳枠付き鋳型から鋳物素材を取り出す装置としては、例えば、鋳型内臓の上鋳枠を上昇分離させた後の鋳型および鋳物素材内臓の下鋳枠を反転させて
鋳型および鋳物素材を下鋳枠からシェーカー上に落下させるようにしたもの（
特許文献１参照）や、鋳型内臓の上鋳枠を上昇分離させた後の鋳型および鋳物素材内臓の下鋳枠から鋳造品抜上機により鋳物素材を抜き上げるようにしたものがある（
特許文献２参照）。
【０００３】
【　特許文献１　】
特開平１１−１３８２５３号公報
【　特許文献２　】
特開昭５８−１９６１６２号公報
【０００４】
【発明が解決しようとする課題】
しかし、これら従来の鋳物素材取出し装置は、鋳物素材の形状に対応した専用機であるため、汎用性に欠けるなどの問題があった。
【０００５】
本発明は上記の事情に鑑みてなされたもので、その目的は、複数の注湯後の上・下鋳枠付き鋳型から形状の異なる各種の鋳物素材をそれぞれ取り出すに当り、鋳型内臓の前記上鋳枠を上昇させて鋳型および鋳物素材内臓の前記下鋳枠から分離した後にこの下鋳枠から単一の装置によって各種の前記鋳物素材をそれぞれ取り出すことが可能な方法および装置を提供することにある。
【０００６】
【課題を解決するための手段】
上記の目的を達成するために本発明における鋳枠付き鋳型からの鋳物素材取出し方法は、複数の注湯後の上・下鋳枠付き鋳型から形状の異なる各種の鋳物素材をそれぞれ取り出すに当り、鋳型内臓の前記上鋳枠を上昇させて鋳型および鋳物素材内臓の前記下鋳枠から分離した後にこの下鋳枠から単一の装置によって各種の前記鋳物素材をそれぞれ取り出すことを可能にした方法であって、前記鋳物素材が一般的なものの場合には鋳型および鋳物素材内臓の前記下鋳枠を垂直面内で旋回させるようにして約１８０度反転させて下鋳枠内から前記鋳物素材を落下分離させた後鋳型内臓の前記下鋳枠を元の位置に戻し、また前記鋳物素材が特殊なものの場合には専用の鋳物素材吊上げ手段により前記下鋳枠内から前記鋳物素材を吊り上げて分離するようにしたことを特徴とする。
【０００７】
【発明の実施の形態】
以下に本発明を適用した鋳枠付き鋳型からの鋳物素材取出し装置の一実施例について図１〜図３に基づき詳細に説明する。本装置は、図１に示すように、鋳型１内臓の下鋳枠２を垂直面内で旋回させるようにして約１８０度反転させる反転手段３と、この反転手段３の真上位置に門型フレーム８を介して入出可能に配設されて前記下鋳枠２内から鋳物素材４を吊り上げる鋳物素材吊上げ手段５と、前記反転手段３の左側位置にこれと隣接して配設されて前記下鋳枠２内の前記鋳物素材４を前記下鋳枠２内の鋳型１とで挟持するとともに前記反転手段３と一緒に反転させる鋳物素材挟持手段６と、で構成してある。
【０００８】
また、図１に示すように、前記鋳物素材挟持手段６の左側位置には鋳物素材４に付着した鋳型片を除去するシェイクアウトマシン８が、さらにシェイクアウトマシン８の左側位置には鋳物素材４を搬送するハンガーコンベヤ９がそれぞれ配設してある。さらに、前記反転手段３の上方には、前記下鋳枠２内から分離された前記鋳物素材４を下鋳枠２の外部に除去する鋳物素材除去手段７が前記門型フレーム８を介して移動可能に配設されている。
【０００９】
次に、このように構成されたものの作用について説明する。複数の注湯後の上・下鋳枠付き鋳型から形状の異なる各種の鋳物素材をそれぞれ取り出すに当り、鋳物素材４が一般的なものの場合には、鋳型内臓の上鋳枠を上昇させて鋳型１および鋳物素材４内臓の下鋳枠２から分離した後（図２のイ参照）に、この下鋳枠２から本装置によって各種の鋳物素材４をそれぞれ取り出すは、まず鋳物素材挟持手段６のアームを時計の回転方向へ回転させて鋳物素材４を下鋳枠２内の鋳型１とアームとで挟持し（図２のロ参照）、続いて、反転手段３と鋳物素材挟持手段６とによって鋳物素材４を下鋳枠２と一緒に時計の反回転方向へ回転させて約１８０度反転させ、下鋳枠２内から鋳物素材挟持手段６のアーム上に鋳物素材４を落下分離させる（図２のハ参照）。
【００１０】
次いで、鋳型１内臓の下鋳枠を元の位置に戻し（図２のニ参照）、続いて、鋳物素材除去手段７により分離された鋳物素材４を左方に移動させて下鋳枠２内から外部に除去する（図２のホ参照）。次いで、鋳物素材４をさらに左方に移動させてシェイクアウトマシン８内に入れ図２のヘ参照）て鋳物素材４に付着した鋳型片を振るい落とし、続いて、図示しない適宜の慣用手段により鋳物素材４をハンガーコンベヤ９上に押し出す。
【００１１】
また、鋳物素材４が特殊なものの場合には、鋳物素材４が一般的なものの場合と同様に、鋳型内臓の上鋳枠を上昇させて鋳型１および鋳物素材４内臓の下鋳枠２から分離し（図３のイ参照）する。次いで、鋳物素材吊上げ手段５の鋳物素材クランプ機構を下降させて鋳物素材４をクランプし（図３のロおよびハ参照）、続いて、下鋳枠２内から鋳物素材４を吊り上げ分離する（図３のニ参照）。
【００１２】
次いで、吊り上げた鋳物素材を鋳物素材吊上げ手段５を介してシェイクアウトマシン８内に入れ、かつ反転手段３によって下鋳枠２を時計の反回転方向へ回転させて下鋳枠２内の鋳型を落下分離させ（図３のホおよびヘ参照）、続いて、シェイクアウトマシン８によって鋳物素材４に付着した鋳型片を振るい落としかつ反転手段３を元に戻す（図３のト参照）。
次いで、鋳物素材４をハンガーコンベヤ９上に押し出し、かつ鋳物素材吊上げ手段５を下鋳枠２の真上位置に移動させる（図３のチ参照）。
【００１３】
【効果】
上記の説明から明らかなように本発明は、複数の注湯後の上・下鋳枠付き鋳型から形状の異なる各種の鋳物素材をそれぞれ取り出すに当り、鋳型内臓の前記上鋳枠を上昇させて鋳型および鋳物素材内臓の前記下鋳枠から分離した後にこの下鋳枠から単一の装置によって各種の前記鋳物素材をそれぞれ取り出すことを可能にした方法であって、前記鋳物素材が一般的なものの場合には鋳型および鋳物素材内臓の前記下鋳枠を垂直面内で旋回させるようにして約１８０度反転させて下鋳枠内から前記鋳物素材を落下分離させ、また前記鋳物素材が特殊なものの場合には専用の鋳物素材吊上げ手段により前記下鋳枠内から前記鋳物素材を吊り上げて分離するようにしたから、複数の注湯後の上・下鋳枠付き鋳型から形状の異なる各種の鋳物素材をそれぞれ取り出すに当り、鋳型内臓の前記上鋳枠を上昇させて鋳型および鋳物素材内臓の前記下鋳枠から分離した後にこの下鋳枠から単一の装置によって各種の前記鋳物素材をそれぞれ取り出すことが可能なるなどの優れた実用的効果を奏する。
【図面の簡単な説明】
【図１】本発明の一実施例を示す正面図である。
【図２】図１の作動説明図であって図であって、鋳物素材が一般的なものの場合である。
【図３】図１の作動説明図であって図であって、鋳物素材が特殊なものの場合である。
【符号の説明】
１　鋳型
２　下鋳枠
３　反転手段
４　鋳物素材
５　鋳物素材吊上げ手段
６　鋳物素材挟持手段
【図１】
2004141954.tif 000003
【図２】
2004141954.tif 000004
【図３】
2004141954.tif 000005